(57)【要約】【課題】遊技者自身により効果音の発音状態を選択できる構成を備えた遊技機を提供する。【解決手段】効果音を発生させるための音響装置を備えた遊技機において、上記音響装置は、スピーカ２２からの音を遊技者に向けて発音させる音放出部１Ｂ２を備え、前記音放出部１Ｂ２は、発音状態を少なくとも遮断および放出の各状態を選択可能とする構成２４を備えていることを特徴とする。【選択図】    図３
2004229918.tif 000002
【特許請求の範囲】
【請求項１】
効果音を発生させるための音響装置を備えた遊技機において、
上記音響装置は、スピーカからの音を遊技者に向けて発音させる音放出部を備え、
前記音放出部は、発音状態を少なくとも遮断および放出の各状態を選択可能とする構成を備えていることを特徴とする遊技機。
【請求項２】
箱型の筐体と、該筐体の前面に開閉自在に取り付けられる前面扉とを備える箱型遊技機に、効果音を発生させるための音響装置を備えた遊技機において、
上記音響装置は、上記スピーカが対向する前面扉に設けられた開口部で構成された音放出部と、該放出部の開口面積を変更可能な遮断部材とを備えていることを特徴とする遊技機。
【請求項３】
請求項１または２記載の遊技機において、
上記音放出部での遮断および放出状態は遊技者により選択可能であることを特徴とする遊技機。
【請求項４】
請求項１乃至３のうちの一つに記載の遊技機において、
上記音放出部での遮断および放出状態を選択するための遮断部材は、回動可能な弁体が用いられ、該弁体の回動角度のうちで、遮断状態以外ではその回動角度に応じた音の放出角度が設定可能であることを特徴とする遊技機。
【請求項５】
請求項１乃至３のうちの一つに記載の遊技機において、
上記音放出部での遮断および放出状態を選択するための遮断部材は、上記前面扉に設けられている音放出部を開閉可能なシャッター部材で構成されていることを特徴とする遊技機。
【発明の詳細な説明】
【０００１】
【発明の属する技術分野】
本発明は、パチンコ遊技機、スロットマシンあるいは雀球機さらにはパチスロマシンやゲームセンタで用いられるゲーム機などの遊技機に関し、さらに詳しくはこれら遊技機に用いられる音響構造に関する。
【０００２】
【従来の技術】
周知のように、遊技機、特にスロットマシンにおいては、スタートレバーあるいはスタートボタンを操作することにより複数個のリールを回転させ、ストップボタンを操作することで各リールの回転を順次停止させ、停止した際のリールの図柄の組み合わせによりメダルあるいは球を払い出す構成を用いたものがある。
【０００３】
このようなスロットマシンでは、ゲーム過程において入賞や特別入賞などに応じてメダルや球の配当数が異なるようにしてある。また、入賞を予感させる演出時、または入賞あるいは特別入賞などの成立時に適時効果音を発するようにして遊技者の興趣を高めるようにしてある場合がある。
【０００４】
スロットマシンは、内部にリールを始めとして各種の駆動部およびこれら駆動部の制御装置を収容可能な中空の筐体本体およびこれに開閉自在に支持されて遊技操作面を有する前面扉とで機体が構成されている。
このような機体において効果音を発するためのスピーカは、概ね、前面扉におけるメタルあるいは球の払い出し口近傍さらには、遊技者の耳に近い位置に相当する前面扉の上部近傍にそれぞれスピーカ単体で取り付けられていることが多い。（例えば、特許文献１）。
【０００５】
【特許文献１】
特開２００１−２７６３０８号公報（段落「００１０」、「００１１」欄、図２）
【０００６】
【発明が解決しようとする課題】
特許文献１に示されているように、スピーカは遊技者にとって効果音を体感しやすいようにするための目的でその設置位置が設定されているが、遊技者によっては前面扉の操作面で表示される液晶表示などで入賞や特別入賞の成立を判断できることから、効果音が必ずしも必要でない場合もあり、特に、遊技者の嗜好の違いによって効果音が不快となる場合もある。
このような場合においても従来のスロットマシンでは効果音を下げたり止めることはできないのが一般的であった。特に効果音を止めてしまえるモードを筐体内部設定すると、次の遊技者に対しては効果音を発することができなくなる虞がある。また、音量を調節する電気的なボリュームを筐体外に設置すると、該ボリュームを悪用して不正な出玉操作を行わせる危険性が伴ってしまう問題点が派生する。
【０００７】
本発明の目的は、遊技者自身により効果音の発音状態を選択できる構成を備えた遊技機を提供することにある。
【０００８】
【課題を解決するための手段】
請求項１記載の発明は、効果音を発生させるための音響装置を備えた遊技機において、上記音響装置は、スピーカからの音を遊技者に向けて発音させる音放出部を備え、前記音放出部は、発音状態を少なくとも遮断および放出の各状態を選択可能とする構成を備えていることを特徴としている。
本発明では、音放出部での発音状態を少なくとも遮断および放出の各条対に選択できるので、遊技者の嗜好に応じて発音状態を設定することができる。
【０００９】
請求項２記載の発明は、箱型の筐体と、該筐体の前面に開閉自在に取り付けられる前面扉とを備える箱型遊技機に、効果音を発生させるための音響装置を備えた遊技機において、上記音響装置は、上記スピーカが対向する前面扉に設けられた開口部で構成された音放出部と、該放出部の開口面積を変更可能な遮断部材とを備えていることを特徴としている。
本発明では、前面扉に形成されている音放出部の開口面積を変更する遮断部材を操作だけの簡単な操作により発音状態の設定が行える。
【００１０】
請求項３記載の発明は、請求項１または２記載の発明に加えて、上記音放出部での遮断および放出状態は遊技者により選択可能であることを特徴としている。
本発明では、発音状態の設定が遊技者による操作で行えるので、遊技者自身の嗜好に対応した発音状態を設定することができる。
【００１１】
請求項４記載の発明は、請求項１乃至３のうちの一つに記載の発明に加えて、上記音放出部での遮断および放出状態を選択するための遮断部材は、回動可能な弁体が用いられ、該弁体の回動角度のうちで、遮断状態以外ではその回動角度に応じた音の放出角度が設定可能であることを特徴としている。
本発明では、音放出部からの発音状態あるいは指向性を弁体の回動角度に応じて設定できるので、発音状態をより細かく遊技者の嗜好に適合させることができる。
【００１２】
請求項５記載の発明は、請求項１乃至３のうちの一つに記載の発明に加えて、上記音放出部での遮断および放出状態を選択するための遮断部材は、上記前面扉に設けられている音放出部を開閉可能なシャッター部材で構成されていることを特徴としている。
本発明では、音放出部の開閉という簡単な操作のみで発音状態を選択できるので、遊技者が操作する際の操作性を複雑なものとしないで済む。
【００１３】
【発明の実施の形態】
以下、図により本発明の実施の形態を説明する。なお、本実施形態は、メダルの払い出しを行う構成を備えたスロットマシンを対象として説明する。
図１は、本発明の実施形態に係るスロットマシン１の外観図であり、同図において、スロットマシン１は、内部に各種制御板等が配置されている中空の筐体１Ａと、筐体１Ａに対して開閉自在に支持されて前面が遊技操作面として構成されている前面扉１Ｂとで機体が構成されている。
図２は、機体の筐体１Ａおよび前面扉１Ｂを開放した状態を模式的に示した図であり、同図において、筐体１Ａ側には、高さ方向ほぼ中央部にリールユニット２が設けられ、下段位置には多数枚のメダルを貯蔵可能なホッパー３Ａを有する払い出し機構３が配置され、上段位置には主制御用の回路基板が収納された基盤ケース４が配置されている。
前面扉１Ｂには、筐体１Ａ側のリールユニット２と対向する位置に、リールを外部から透視させる開口からなる表示部５が設けられ、下段位置には投入されたメダルをホッパー３Ａに導入する通路および払い出されるメダルをメダル放出口に導く払い出し路とを有するメダル通路６および、上段位置には演出画面、ランプ及び効果音などの演出音を出力するサブ基板８が設けられている。
【００１４】
図１において前面扉１Ｂの前面には、リールの前面を覆ってリールを外部から透視できる正面パネル９と下面パネル１０とが高さ中央および下段位置に設けられ、上段位置にはディスプレイをなす液晶ユニット１８が装備されている上面パネル１１が設けられている。
下面パネル１０の上部には、精算スイッチ１２，リール始動レバー１３，リール停止スイッチ１４，メダル返却ボタン１５およびメダル投入口１６がそれぞれ設けてある。
下面パネル１０の下部には、メダルが払い出されるメダル放出口１７が設けられ、上面パネル１１には、前述した液晶ユニット１８が設けられている。なお、図１において符号１９はメダル貯留残留表示部を、符号２０Ａは入賞役物の作動回数表示部を、符号２０Ｂは獲得メダル枚数表示部をそれぞれ示している。
【００１５】
スロットマシン１に用いられるスピーカは、効果音などの演出音を発生させるための音響装置の一部材として用いられ、図２に示すように、前面扉１Ｂにおける上部左右の２カ所およびメダル放出近傍の１カ所にそれぞれ後述する構成により取り付けられている。
【００１６】
音響装置の一部材として用いられるスピーカ２１は、本実施形態においては高音域の発音用であり、メダル放出口近傍に配置されているスピーカ２２は低音域の発音用である。
本実施形態では、各スピーカの設置構造に特徴があり、その詳細が図３以降に示されている。
図３は、一例として、低音域の発音用スピーカ２２を対象として設置構造を示したものであり、高音域の発音用スピーカ２１においても同様な構成を採用することが可能である。
図３において、スピーカ２２を一つの部材として備えている音響装置は、スピーカ２２に加えて、前面扉１Ｂに形成されているラス穴で構成された音放出部１Ｂ２の形成範囲周辺を囲繞した状態で前面扉１Ｂに取り付けられているファンネル部材２３およびファンネル部材２３の内部に配置されて音放出部１Ｂ２の開度を変更可能な音量調整部材２４を備えている。
【００１７】
ファンネル部材２３は、スピーカ２２を前面扉１Ｂに取り付けるための部材であり、前面側の端縁が前面扉１Ｂに一体化される支持パネル１Ｃに取り付けられ、後面側の端縁にスピーカ２のコーン端縁が一体化されるようになっている。
音量調整部材２４は、ファンネル部材２３内で音放出部１Ｂ２に対面させた複数の弁体２４Ａ〜２４Ｄで構成されており、弁体２４Ａ〜２４Ｄは、ファンネル部材２３内において回転自在に支持されている支軸Ｓ１〜Ｓ４により回動可能に支持されている。
支軸Ｓ１〜Ｓ４は、図示しないが、ファンネル部材２３における挿通部に摩擦係合するようになっており、回動した位置で不動状態に維持されるようになっている。
【００１８】
図４において支軸Ｓ１〜Ｓ４には、それぞれギヤＧ１〜Ｇ４が取り付けられており、ギヤ同士はアイドルギヤ１Ｇ１〜１Ｇ３を介して連動することができ、ギヤのうちの一つ（便宜上、図３においてＧ１で示すギヤ）に同軸支持されている操作ダイヤル２５の操作量に対応した回動量が設定される。
操作ダイヤル２５は、図１に示すように、前面扉１Ｂに形成された露出開口から前方に一部が露呈しており、遊技者による操作を行えるようになっている。
【００１９】
本実施形態は以上のような構成において、弁体２４Ａ〜２４Ｄの回動角度に応じた発音状態が設定できようになる。特に、弁体２４Ａ〜２４Ｄの回動は遊技者によって直接行えるので、回動操作に応じた発音状態、具体的にはスピーカ２２の前面全域を覆う状態として発音を遮断する状態あるいはこれと逆にスピーカ２２の前面を開放して音放出部１Ｂ２とスピーカ２２とを連通状態とすることができ、さらにこれらの状態の間の回動状態によって発音量を調整することができる。遮断状態と連通状態との間で弁体２４Ａ〜２４Ｄを連続的に回動させると発音状態を段階的ではなく連続的に調整することができるので、例えば、段階的に調整できる場合と違って、その段階に合致しない調整を要望した場合にも対処することができ、遊技者の嗜好に合わせた発音状態を設定することができる。
しかも、単にスピーカ２２からの放射音を遮る状態を変えるだけでなく、弁体２４Ａ〜２４Ｄの回動位置に応じて音の回析現象が生じ、音色を変えることもできるので、遊技者の嗜好だけでなく、変調した音を放射することもでき、発音状態に趣向を凝らす、換言すれば、遊技者が驚くような音響効果を醸し出すこともできる。
【００２０】
音量調整部材２４は、図３および図４に示した弁体構造とすることに限らず、例えば、ルーバーを用いることも可能である。
図５は、図３に示した前面扉１Ｂおよび支持パネル１Ｃの図示を省略した状態でルーバーを用いた場合の構成を示しており、同図において、ルーバー（便宜上、符号２４Ａ’〜２４Ｄ’で示す）は、図３，４に示した弁体と同様に、ファンネル部材２３の内部で支軸Ｓ１〜Ｓ４を支点として揺動可能に支持されており、スピーカ２２のコーン側の揺動端がリンクレバー２６に連結されている。
リンクレバー２６は、各ルーバー２４Ａ’〜２４Ｄ’の揺動端と連結され、その長手方向一端にはファンネル部材２３の内部において揺動可能に支持されている操作レバー２７の揺動端の一方に連結されている。
操作レバー２７は、図３，４に示した操作ダイヤルに代わる部材であり、揺動端の他方が前面扉１Ｂから外部に突出させてある。
この構成においては、操作レバー２７を操作することでルーバー２４Ａ’〜２４Ｄ’の揺動角が変更されることになり、弁体２４Ａから２４Ｄと同様な機能を発揮させることができる。
【００２１】
図３乃至図５に示した構成は、いずれも音量調整部材が回動量あるいは揺動量を連続的に変更することで放射音の遮断あるいは放射が可能となる構成であるが、本発明では、放射状態と遮断状態とのみを選択することも可能である。
図６は、ファンネル部材２３および支持パネル１Ｃの図示を省略した状態で、音量調整部材として前面扉１Ｂに形成されている音放出部１Ｂ２を開閉可能なシャッターを用いた例を示してが示されている。
図６において前面扉１Ｂの裏側には、音放出部１Ｂ２に対面可能な開口２８Ａを備えたシャッター２８が前面扉１Ｂの裏面に沿って摺動可能に設けられている。
シャッター２８には、その長手方向一端に操作レバー２９の揺動端が連結されている。
【００２２】
操作レバー２８は、図５に示した操作レバー２７と同様に、ファンネル部材２３の内部において揺動可能に支持されており、その揺動端の一方がシャッター２８に連結され、揺動端の他方が前面扉１Ｂから外部に突出して遊技者により操作ができるようになっている。
本構成においては、操作レバー２９を揺動操作することによりシャッター２８が前面扉１Ｂの裏面に沿って摺動することができ、音放出部１Ｂ２と開口２８Ａとが対向して連通する状態と音放出部１Ｂ２から開口２８Ａとが外れる状態とを選択することができる。各状態のうちで、音放出部１Ｂ２と開口２８Ａとが連通する状態ではスピーカ２２の音がそのまま放射され、音放出部１Ｂ２から開口２８Ａが外れてシャッター２７により音放出部１Ｂ２が塞がれるとスピーカ２２からの音が遮断されることになる。
なお、上記実施形態では、スロットマシンを例示したが、本発明では、これに限らずその他の箱型遊技機、またはパチンコ遊技機等に適用すること勿論可能である。
【００２３】
【発明の効果】
請求項１記載の発明によれば、音放出部での発音状態を少なくとも遮断および放出の各条対に選択できるので、遊技者の嗜好に応じて発音状態を設定することができる。
【００２４】
請求項２記載の発明によれば、前面扉に形成されている音放出部の開口面積を変更する遮断部材を操作だけの簡単な操作により発音状態の設定が行える。
【００２５】
請求項３記載の発明によれば、発音状態の設定が遊技者による操作で行えるので、遊技者自身の嗜好に対応した発音状態を設定することができる。
【００２６】
請求項４記載の発明によれば、音放出部からの発音状態あるいは指向性を弁体の回動角度に応じて設定できるので、発音状態をより細かく遊技者の嗜好に適合させることができる。
【００２７】
請求項５記載の発明によれば、音放出部の開閉という簡単な操作のみで発音状態を選択できるので、遊技者が操作する際の操作性を複雑なものとしないで済む。
【図面の簡単な説明】
【図１】本発明の実施形態に係るスロットマシンの外観図である。
【図２】図１に示したスロットマシンの機体を開放した状態を示す図である。
【図３】本発明の実施形態に係るスロットマシンに用いられる音響装置の一構成部材である音量調整部材の構成を示す図である。
【図４】図３に示した音量調整部材の駆動構造を示す図である。
【図５】図３に示した音量調整部材の変形例を示す図である。
【図６】図３に示した音量調整部材の他の例を示す図である。
【符号の説明】
１                スロットマシン
１Ａ              筐体
１Ｂ              前面扉
２２              スピーカ
２３              ファンネル部材
２４              音量調整部材
２４Ａ〜２４Ｄ    弁体
２４Ａ’〜２４Ｄ’ルーバー
２５              操作ダイヤル
２６              リンクレバー
２７，２９        操作レバー
２８              シャッター
２８Ａ            開口
Ｇ１〜Ｇ４        ギヤ
Ｓ１〜Ｓ４        支軸
【図１】
2004229918.tif 000003
【図２】
2004229918.tif 000004
【図３】
2004229918.tif 000005
【図４】
2004229918.tif 000006
【図５】
2004229918.tif 000007
【図６】
2004229918.tif 000008